【手続補正書】
【提出日】平成22年4月14日(2010.4.14)
【手続補正１】
【補正対象書類名】明細書
【補正対象項目名】００１８
【補正方法】変更
【補正の内容】
【００１８】
図６Ａ〜図７を参照して、圧縮アセンブリ１２２の別の例が図示されている。この圧縮アセンブリ１２２は、２個の圧縮部材または圧縮板１３２を備え、これらの２個の圧縮部材または圧縮板１３２はフレーム１３０から除去されている。圧縮アセンブリ１２２のフレーム１３０は、生検処置時に用いられる１つまたは複数の接続部材１３４を介して、位置決め器材１６に連結することができる。これらの接続部材１３４は、圧縮アセンブリ１２２が調節可能となり、かつ／または、位置決め器材１６または他の支持部から取り外し可能となるように、構成可能である。
【手続補正２】
【補正対象書類名】明細書
【補正対象項目名】００１９
【補正方法】変更
【補正の内容】
【００１９】
フレーム１３０は、例えば、矩形形状であり、内部に形成された複数の除去可能な圧縮板１３２を有し得る。図示の例において、これらの圧縮板１３２は、矩形形状であり、隣接する圧縮板および／またはフレーム１３０に取り外し可能に連結される。図６Ａを参照して、２枚の圧縮板１３２を除去した後の圧縮アセンブリ１２２が図示されている。使用前、フレーム１３０は、例えば、均一なサイズおよび形状２０個の圧縮板１３２を含み得、これにより、実質的に連続する表面領域がフレーム１３０内に得られる。使用時、図示のように、１つまたは複数の圧縮板１３２を除去することができ、これにより、患者胸部へのアクセスが容易になる。圧縮板１３２およびフレーム１３０は、任意の材料（例えば、ＭＲＩ処置または他の医療処置時に適している、ガンマ線照射用に安定化されたポリカーボネート）から構成され得る。フレーム１３０および／または圧縮板１３２は、生検処置時の患者胸部へのアクセスを容易化する任意の所望の形状または構成で構成可能であることが理解される。
【手続補正３】
【補正対象書類名】明細書
【補正対象項目名】００２１
【補正方法】変更
【補正の内容】
【００２１】
図６Ｂを参照して、圧縮アセンブリ１６０の別の例が図示されている。この圧縮アセンブリ１６０は、フレーム１７０を有する。このフレーム１７０は、内部に配置された複数の圧縮部材または圧縮板１６２を備える。圧縮アセンブリ１６０のフレーム１７０は、生検処置時に使用される１つまたは複数の接続部材１６４を介して、位置決め器材１６に連結することができる。これらの接続部材１６４は、圧縮アセンブリ１６０が調節可能となりかつ／または位置決め器材１６または他の支持部から取り外し可能となるように、構成可能である。
【手続補正４】
【補正対象書類名】明細書
【補正対象項目名】００２２
【補正方法】変更
【補正の内容】
【００２２】
フレーム１７０は、例えば、矩形形状であり、内部に配置された複数のスライド可能または可動圧縮板１６２を含み得る。図示の例において、これらの圧縮板１６２は矩形形状であり、スライド可能な舌部および溝構成により、隣接する圧縮板および／またはフレーム１７０に連結される。図６Ｂを参照して、（隣接する圧縮板１６２によって形成された舌部および溝に沿った垂直方向平面内において圧縮板１６２をスライドさせることによって）フレーム１７０内部において圧縮板１６２を除去した後の圧縮アセンブリ１６０が図示されている。各圧縮板１６２および／またはフレーム１７０は、舌部および／または溝を含み得、これにより、圧縮板１６２は、フレーム１７０内において垂直方向および／または水平方向において自由に移動することが可能となる。
【手続補正５】
【補正対象書類名】明細書
【補正対象項目名】００２５
【補正方法】変更
【補正の内容】
【００２５】
図８Ａ〜図１２を参照して、フレーム２３０を有する圧縮アセンブリ２２２の別の例が図示されている。このフレーム２３０は、内部に配置された複数の圧縮部材または圧縮棒２３２を備える。圧縮アセンブリ２２２のフレーム２３０は、生検処置時に使用される１つまたは複数の接続部材２３４を介して、位置決め器材１６に連結することが可能である。これらの接続部材２３４は、圧縮アセンブリ２２２が調節可能でありかつ／または位置決め器材１６または他の支持部から取り外し可能となるように、構成可能である。
【手続補正６】
【補正対象書類名】明細書
【補正対象項目名】００２６
【補正方法】変更
【補正の内容】
【００２６】
フレーム２３０は、例えば矩形形状であり得、内部に配置された複数の除去可能な圧縮棒２３２を備える。図示の例において、これらの圧縮棒２３２は、矩形形状であり、両端においてフレーム２３０に取り外し可能に連結されている。図８Ａ〜８Ｂを参照して、圧縮棒２３２を除去する前の圧縮アセンブリ２２２が図示されている。一例において、フレーム２３０は、例えば、５本の圧縮棒２３２を含み得る。これらの５本の圧縮棒２３２は、均一なサイズおよび形状であり、１つまたは複数の圧縮棒２３２を除去すること無く胸部へのアクセスが利用可能となるように、空間を空けて配置されている。臨床医がアクセス増大を望む場合、１本または複数本の圧縮棒２３２を除去して、このようなアクセスを可能にすることができる。さらなるアクセスポイントを形成する能力と共に確立されたアクセスポイントを提供することで、臨床医は、必要となるまで圧縮アセンブリ２２２を改変せずに処置を迅速に行うことができる。これらの圧縮棒２３２およびフレーム２３０は、任意の材料（例えば、ＭＲＩ処置または他の医療処置時に適している、ガンマ線照射用に安定化されたポリカーボネート）から構成され得る。フレーム２３０および／または圧縮棒２３２は、任意の所望の形状または構成（例えば、水平方向形状または構成、垂直方向形状または構成、斜め方向形状または構成、人間工学的形状または構成、曲線状の形状または構成および／または患者の解剖学的構造をモデル化または当該構造に適合した任意の適切な形状）に構成可能であることが理解される。さらに、任意の適切な数の圧縮棒２３２を設けてもよいことが企図される。図８Ａを参照して、水平方向圧縮棒２３２を有する圧縮アセンブリ２２２の一例が図示されている。図８Ｂを参照して、垂直方向圧縮棒２３２を有する圧縮アセンブリ２２２の一例が図示されている。
【手続補正７】
【補正対象書類名】明細書
【補正対象項目名】００３０
【補正方法】変更
【補正の内容】
【００３０】
図８Ａ〜図１２を参照して、使用時、圧縮アセンブリ２２２は、全圧縮板２３２が無傷な様態で、患者胸部に対して配置することができる。圧縮システム２２２の配置および保持後、臨床医は、胸部へのアクセスが最も所望されるフレーム２３０内の領域を特定することができる。この領域が確立されたアクセスポートを介して既に開口している場合、臨床医は、圧縮アセンブリ２２２のコンポーネントのうち任意のものを除去せずに生検処置に進むことができる。所望のアクセス領域が圧縮棒２３２によって遮断された場合、臨床医は、係合解除可能部材２３６の破砕または除去により、標的領域中の１つまたは複数の圧縮棒２３２を除去することができる。例えば圧縮棒２３２の端部におけるこれら２つの係合解除可能部材２３６を除去すると、圧縮棒２３２が解放され得、臨床医はこれら圧縮棒２３２を除去することができる。圧縮棒２３２の除去後は、臨床医は、新規生成されたアクセスポイントを介して、生検デバイス１４により胸部にアクセスすることができる。
【手続補正８】
【補正対象書類名】明細書
【補正対象項目名】００６１
【補正方法】変更
【補正の内容】
【００６１】
【図１】図１は、磁気共鳴映像法（ＭＲＩ）生検システムの斜視図であり、同システム上に患者が配置されている様子が図示されている。
【図２】図２は、図１の生検システムの部分斜視図であり、圧縮システムおよび患者支持部の一例を示す。
【図３】図３は、図２中に示す圧縮システムおよび患者支持部の中央軸に沿って取られた左側の長手方向断面図である。
【図４】図４は、圧縮部材の一例の斜視図であり、この圧縮部材は、使用前の様子が図示されている複数の圧縮板を有する。
【図５】図５は、図４中に示す２枚の圧縮板の線５−５に沿って取られた上部断面図であり、これらの圧縮板間の接続部を示す。
【図６Ａ】図６Ａは、圧縮部材の別の例の斜視図であり、２枚の圧縮板が除去されている。
【図６Ｂ】図６Ｂは、圧縮部材の別の例の斜視図であり、この圧縮部材が内部のスライド可能圧縮板と共に図示されている。
【図７】図７は、図６中に示す２枚の圧縮板の線７−７に沿って取られた上部断面図であり、これらの圧縮板間の接続部を示す。
【図８ａ】図８Ａは、圧縮部材の別の実施形態の斜視図であり、この圧縮部材は、使用前の様子が図示されている水平方向圧縮棒を有する。
【図８ｂ】図８Ｂは、圧縮部材の別の実施形態の斜視図であり、この圧縮部材は、使用前の様子が図示されている垂直方向圧縮棒を有する。
【図９】図９は、図８Ａの圧縮部材と圧縮棒との間の相互接続部の線９−９に沿って取られた上部断面図であり、除去前の様子を示す。
【図１０】図１０は、図８Ａの圧縮部材と圧縮棒との間の相互接続部の線９−９に沿って取られた上部断面図であり、除去時の様子を示す。
【図１１】図１１は、図８Ａの圧縮部材と圧縮棒との間の相互接続部の線９−９に沿って取られた上部断面図であり、除去前の様子を示す。
【図１２】図１２は、図８Ａの圧縮部材と圧縮棒との間の相互接続部の線９−９に沿って取られた上部断面図であり、除去時の様子を示す。
【図１３】図１３は、圧縮アセンブリの別の例の斜視図であり、この圧縮アセンブリは、フレーム内に配置された可動部材を有する。
【図１４】図１４は、図１３の圧縮アセンブリの線１４−１４に沿って取られた左側断面図である。
【図１５】図１５は、図１３の圧縮部材の線１５−１５に沿って取られた上部断面図であり、可動部材とフレームとの間の相互接続部を示す。
【図１６】図１６は、圧縮アセンブリの別の例の斜視図であり、この圧縮アセンブリは、フレーム内に配置された可動部材を有する。
【図１７】図１７は、図１６の圧縮アセンブリの線１７−１７に沿って取られた前面断面図であり、可動部材とフレームとの間の関係を示す。
【図１８】図１８は、図１６の圧縮アセンブリの線１８−１８に沿って取られた上部断面図である。
【図１９】図１９は、圧縮アセンブリの別の例の斜視図であり、この圧縮アセンブリは、フレーム内に配置されたはめ込み型部材を有する。
【図２０】図２０は、圧縮アセンブリの別の例の斜視図であり、この圧縮アセンブリは、フレーム内に配置されたはめ込み型部材を有する。
【図２１】図２１は、圧縮アセンブリの別の例の斜視図であり、この圧縮アセンブリは、フレーム内に配置された可動部材を有する。
【図２２】図２２は、圧縮アセンブリの別の例の斜視図であり、この圧縮アセンブリは、フレーム内に配置された複数の六角形として構成された圧縮薄板を有する。
【図２３】図２３は、圧縮アセンブリの別の例の斜視図であり、この圧縮アセンブリは、フレーム内に配置された可撓性圧縮棒を有する。
【図２４】図２４は、圧縮アセンブリの別の例の斜視図であり、この圧縮アセンブリは、フレーム内に配置された除去可能部材を有する。
【図２５】図２５は、図２４の除去可能部材のより詳細な斜視図であり、この除去可能部材は、上部挿入部材および下部挿入部材と共に図示されている。
【図２６】図２６は、図２５の上部挿入部材のより詳細な斜視図である。
【図２７】図２７は、図２５の下部挿入部材のより詳細な斜視図である。
【図２８】図２８は、フレーム内に配置された、図２５の挿入部材のより詳細な斜視図である。